(57)【特許請求の範囲】
【請求項１】
予め定められた幅の１ラインの読取中に予め定められた固定点灯時間、予め定められた光量で点灯して読取対象に光を照射する光源と、
複数の光電変換素子を含み、前記読取対象からの反射光に基づき１ライン毎に前記読取対象の読み取りを行うイメージセンサーと、
前記光源又は前記読取対象を移動させる速度を変化させて１ラインあたりの読取時間と読取速度を変化させる移動部と、を含み、
前記移動部により、１ラインあたりの読取時間が予め定められた基準読取時間となる読取速度である基準読取速度まで読取速度を加速するとき、又は、前記基準読取速度から読取速度を減速するとき、
前記イメージセンサーは読取速度の変化にあわせて変化する１ラインあたりの読取時間にあわせて１ライン毎に読み取りを行い、
前記光源は前記基準読取時間での１ライン中の読取区間に近づくように点灯することを特徴とする画像読取装置。
【請求項２】
前記移動部により、前記基準読取速度まで読取速度を加速するとき、又は、前記基準読取速度から読取速度を減速するとき、
前記光源は１ラインあたりの読取時間中、点灯している時間の合計が前記固定点灯時間となるように複数回点消灯する分散点灯を行うことを特徴とする請求項１記載の画像読取装置。
【請求項３】
前記光源は分散点灯を行うとき、前記基準読取速度での読取のときの１ライン中での点灯開始位置から点灯終了位置までの間で前記分散点灯を行うことを特徴とする請求項２に記載の画像読取装置。
【請求項４】
前記光源は分散点灯を行うとき、前記基準読取速度での読取のときの１ライン中での点灯開始位置で点灯した後消灯するとともに、点灯終了位置の前から点灯を開始し、点灯終了位置に到ると消灯することを特徴とする請求項２又は３に記載の画像読取装置。
【請求項５】
前記移動部により前記基準読取速度まで読取速度を加速するとき、
前記光源は前記固定点灯時間の中央の時点が加速中の１ラインあたりの読取時間の中間時点よりも後の時点となるように、１ラインの読取中、１回の点灯と消灯を行うことを特徴とする請求項１記載の画像読取装置。
【請求項６】
前記移動部により前記基準読取速度から読取速度を減速するとき、
前記光源は前記固定点灯時間の中央の時点が減速中の１ラインあたりの読取時間の中間時点よりも前の時点となるように、１ラインの読取中、１回の点灯と消灯を行うことを特徴とする請求項１又は５に記載の画像読取装置。
【請求項７】
前記移動部により前記基準読取速度となるまで読取速度を加速するとき、
前記光源は加速中の１ラインあたりの読取時間の終了時点から前記固定点灯時間遡った時点で点灯し、前記終了時点に到ると消灯することを特徴とする請求項５又は６に記載の画像読取装置。
【請求項８】
前記移動部により前記基準読取速度から読取速度を減速するとき、
前記光源は減速中の１ラインあたりの読取時間の開始時点から点灯し、前記固定点灯時間だけ点灯した後、消灯することを特徴とする請求項６又は７に記載の画像読取装置。
【請求項９】
請求項１乃至８のいずれか１項に記載の画像読取装置を含むことを特徴とする画像形成装置。
【発明の詳細な説明】
【技術分野】
【０００１】
本発明は、原稿を読み取り、画像データを生成する画像読取装置に関する。又、この画像読取装置を備えた画像形成装置に関する。
【背景技術】
【０００２】
画像読取装置は光源を含み、光源からの光を読取対象（原稿）に照射する。そして、反射光はイメージセンサーに導かれる。そして、画像読取装置は、イメージセンサーの出力に基づき画像データを得る。例えば、画像読取装置にはイメージセンサーとしてラインセンサーが設けられる。通常、１ラインあたりの読取時間（走査時間）は一定とされるが、１枚の原稿読み取り中に、１ラインあたりの読取時間を変化させて読取速度を変化させることがある。この場合、読取速度に応じ、１ラインあたりの読取時間内での原稿に照射する光量を調整する必要がある。調整されなければ、同一濃度の原稿を読み取っても、読取速度に応じて各ラインの画像データでの濃度（画素値）が異なってしまい、正しく原稿を読み取ることができない。
【０００３】
同一原稿読取中での読取速度に関する画像読取装置の一例が特許文献１に記載されている。具体的に、特許文献１には、ラインセンサーの１ラインの走査時間と、原稿搬送機構による原稿の搬送速度とをそれぞれ変化させることにより読取速度を変化させることができ、１ラインの走査時間に応じて、原稿に光を照射するための光源の発光強度を制御する画像読取装置が記載されている。この構成により、読取速度を変化させる等により、ラインセンサーの１ラインの走査時間を変化させることによるラインセンサーでの受光量の変動を光源の発光強度の制御によって補償しようとする。（特許文献１：請求項１、段落［００１１］等参照）。
【先行技術文献】
【特許文献】
【０００４】
【特許文献１】特開平０９−２３３２６６号公報
【発明の概要】
【発明が解決しようとする課題】
【０００５】
画像読取装置では、１枚の原稿読取中に１ラインあたりの読取時間を増減させ、読取速度を変化させることがある。例えば、コンタクトガラスに置かれた原稿に対し、光源や反射光をイメージセンサーに導くミラー等を移動させて読み取りを行う場合、等速に光源等を移動させるとしても、基準となる速度まで移動速度が上昇するには一定の時間、移動距離が必要である。又、光源等の移動での加速度を大きくするには、例えば、トルクが大きなモーターが必要となり、所望する性能を満たすような高性能のモーターは大型、高価格であり、画像読取装置に搭載することは現実的ではない。そこで、光源等の移動速度を次第に基準の読取速度まで加速し、基準の速度に到ると予め定められた光量で光源を発光させ、１枚の原稿の読み取りで得られた画像データでの読み取り速度による濃度差（画質の劣化）がでないようにする。これにより、低トルクのモーターでも問題なく読み取りを行うことができる。
【０００６】
又、原稿読み取りにより得られた画像データに関する処理が遅延すると、画像データの生成速度を落とさなければ、画像読取装置内の画像データの一時蓄積用のバッファーでオーバーフローが生じてしまう。そこで、バッファーでのオーバーフローの発生を未然に防ぐため、読取速度を意図的に落とすこともある。又、画像データの出力（転送）速度が回復すると、読取速度を速くし、基準読取速度まで読み取り速度に戻すこともある。
【０００７】
このように、画像読取装置では読取速度の増減がなされることがある。そして、このような読取速度の増減では、１ラインあたりの読取時間の変化にあわせ、光源による原稿への光の照射の正確、適切な調整が必要であるという問題がある。
【０００８】
ここで、特許文献１を見ると、複数の抵抗を用いて光源３の印加電圧（電流量）を調整しており、電圧により光量を調整できる発光素子であると考えられる（光源３の種類は示されていない）。しかし、このような方法での光量を調整すると、光源や抵抗の抵抗値のばらつきの影響を大きく受ける。又、光源の経年劣化の影響も大きい。又、電圧を調整することで線形に光量が変化するとは限らず、精度よく、正確に読取速度に対応したねらいの光量に光源３の光量を調整することが困難である。そのため、特許文献１記載の技術では実際に読取速度を変化させて読み取りを行っても、読取速度に応じて濃度差（１ラインあたりの光源の発光量の差）が生じ、画質の点で原稿を正常に読み取ることが難しい。従って、特許文献１記載の技術では、１ラインあたりの読取時間の変化にあわせて原稿への光の照射を正確、適切に調整できているといえず、上記の問題を解決できない。
【０００９】
本発明は、上記従来技術の問題点に鑑みてなされたものであり、読取速度の加減速を行うとき、１ラインあたりの光源の発光量を同じとしつつ、１ライン中で読み取りを行う区間（範囲）を基準の速度での読み取りに近づけて高画質化を図ることを課題とする。
【課題を解決するための手段】
【００１０】
請求項１に係る画像読取装置は、予め定められた幅の１ラインの読取中に予め定められた固定点灯時間、予め定められた光量で点灯して読取対象に光を照射する光源と、複数の光電変換素子を含み、前記読取対象からの反射光に基づき１ライン毎に前記読取対象の読み取りを行うイメージセンサーと、前記光源又は前記読取対象を移動させる速度を変化させて１ラインあたりの読取時間と読取速度を変化させる移動部と、を含み、前記移動部により、１ラインあたりの読取時間が予め定められた基準読取時間となる読取速度である基準読取速度まで読取速度を加速するとき、又は、前記基準読取速度から読取速度を減速するとき、前記イメージセンサーは読取速度の変化にあわせて変化する１ラインあたりの読取時間にあわせて１ライン毎に読み取りを行い、前記光源は前記基準読取時間での１ライン中の読取区間に近づくように点灯する。
【００１１】
まず、光源は予め定められた光量で点灯し、読取速度が基準の速度よりも遅くても、１ラインの読取時間中に光源が原稿を照射する時間は固定点灯時間であり一定とされる。そのため、１ラインの読取時間が変化しても、１ライン中の光源の発光量は変わらない。言い換えると、イメージセンサーが受光できる光量の最大量は読取速度を問わず、各ライン間で差が無い。従って、読取速度によるイメージセンサーの電荷蓄積量の差に起因する各ラインでの濃度差は生じない。
【００１２】
更に、この構成によれば、移動部により、１ラインあたりの読取時間が予め定められた基準読取時間となる読取速度である基準読取速度（通常の読取速度）まで読取速度を加速するとき、又は、基準読取速度から読取速度を減速するとき、イメージセンサーは読取速度の変化にあわせて変化する１ラインあたりの読取時間にあわせて１ライン毎に読み取りを行い、光源は基準読取時間（基準読取速度）での１ライン中の読取区間（光源を点灯する区間、原稿に光を照射する範囲）に近づくように点灯する。これにより、読取速度の加減速中の１ラインで読み取りを行う範囲を、基準の速度で読み取っているときの読み取り範囲に近づけることができる。従って、基準読取速度と異なる読取速度で読み取られた読み取り結果（画像データ）と、基準読取速度で読み取られた読み取り結果（画像データ）の間で違和感がないように原稿読取を行うことができる。又、１枚の原稿読取中に読取速度を変化させても、従来に比べ、読取速度の加減速中の読み取り結果（画像データ）の変化、劣化を無くすことができ、読取速度を変化させることによる画質へのデメリットを解消し、高画質化を図ることができる。
【００１３】
尚、基準読取時間は予め定められた（仕様上、設計上の）通常の１ラインあたりの読取時間である。基準読取速度は１ラインあたりの読取時間が基準読取時間となる通常の読取速度である。移動部は原則的に原稿の読み取り開始に伴い、読取速度（読取時間）が基準読取速度（基準読取時間）となるように光源又は原稿を移動させる。
【００１４】
又、請求項２に係る発明は、請求項１の発明において、前記移動部により、前記基準読取速度まで読取速度を加速するとき、又は、前記基準読取速度から読取速度を減速するとき、前記光源は１ラインあたりの読取時間中、点灯している時間の合計が前記固定点灯時間となるように複数回点消灯する分散点灯を行うこととした。
【００１５】
まず、１ライン中の光源の点灯時間が固定であり、１ライン中の点消灯が１回であれば、光源を点灯させている１ライン内での読取区間（光源を点灯する区間、原稿に光を照射する範囲）は、読取速度が遅いほど狭くなる。そこで、この構成によれば、光源は１ラインあたりの読取時間中、点灯している時間の合計が固定点灯時間となるように複数回点消灯する分散点灯を行う。これにより、読取速度が基準の速度よりも遅いときでも、１ラインの読み取りでの光源の点灯開始から、最終的に点灯を終えるまでの読取区間（光源を点灯する区間、原稿に光を照射する範囲）を広げることができる。従って、読取速度が基準の速度よりも遅くても、１ラインの読取幅のうち局所ではなく、広い範囲に渡って読み取りを行うことができる。言い換えると、読取速度の加速中や減速中での読取特性を基準読取速度での読取特性に近づけることができる。従って、従来に比べ、基準読取速度での読み取られた部分（画像データ）に対し、読取速度の加減速中の読み取られた部分（画像データ）の変化、劣化を無くすことができ、読取速度を変化させることによる画質へのデメリットを解消して、高画質化を図ることができる。
【００１６】
又、請求項３に係る発明は、請求項２の発明において、前記光源は分散点灯を行うとき、前記基準読取速度での読取のときの１ライン中での点灯開始位置から点灯終了位置までの間で前記分散点灯を行うこととした。
【００１７】
この構成によれば、光源は分散点灯を行うとき、基準読取速度での読取のときの１ライン中での点灯開始位置から点灯終了位置までの間で分散点灯を行う。これにより、読取速度が基準読取速度よりも遅い状態でも、１ラインのうち、基準の速度で読み取るときに光が照射される範囲（読み取られる範囲）と同様の範囲に対し光を照射し、読み取ることができる。言い換えると、読取速度が基準読取速度よりも遅い状態のときの１ラインのうち読み取る範囲を、基準読取速度での読取範囲に確実に近づけることができる。
【００１８】
又、請求項４に係る発明は、請求項２又は３の発明において、前記光源は分散点灯を行うとき、前記基準読取速度での読取のときの１ライン中での点灯開始位置で点灯した後消灯するとともに、点灯終了位置の前から点灯を開始し、点灯終了位置に到ると消灯することとした。
【００１９】
この構成によれば、光源は分散点灯を行うとき、基準読取速度での読取のときの１ライン中での点灯開始位置で点灯した後消灯するとともに、点灯終了位置の前から点灯を開始し、点灯終了位置に到ると消灯する。これにより、読取速度が基準読取速度よりも遅いときでも、１ラインのうち、基準の速度で読み取るときに光が照射される範囲（読み取られる範囲）と同じの範囲で光の照射を開始し、光の照射を終了させることができる。言い換えると、読取速度が基準読取速度よりも遅い状態のときの１ラインのうち読み取る範囲を、擬似的に基準読取速度での読取範囲と一致させることができる。
【００２０】
又、請求項５に係る発明は、請求項１の発明において、前記移動部により前記基準読取速度まで読取速度を加速するとき、前記光源は前記固定点灯時間の中央の時点が加速中の１ラインあたりの読取時間の中間時点よりも後の時点となるように、１ラインの読取中、１回の点灯と消灯を行うこととした。
【００２１】
まず、読取速度を加速するとき、１ラインの読取時間のうち、後半になるほど（後寄りになるほど）、読取速度は基準読取速度に近づく。そこで、この構成によれば、移動部により基準読取速度まで読取速度を加速するとき、光源は固定点灯時間の中央の時点が加速中の１ラインあたりの読取時間の中間時点よりも後の時点となるように、１ラインの読取中、１回の点灯と消灯を行う。これにより、１ライン中、読取速度が速くなった時点で原稿に光が照射されるので、読取速度が基準の速度よりも遅いときでも、１ラインのうち、光が照射される範囲を広げることができる。言い換えると、読取速度の加速中での読取特性を基準の速度での読取特性に近づけることができる。従って、従来に比べ、基準読取速度での読み取られた部分（画像データ）に対し、読取速度の加速中に読み取られた部分（画像データ）の変化、劣化を無くすことができ、読取速度を変化させることによる画質へのデメリットを解消して、高画質化を図ることができる。
【００２２】
又、請求項６に係る発明は、請求項１又は５の発明において、前記移動部により前記基準読取速度から読取速度を減速するとき、前記光源は前記固定点灯時間の中央の時点が減速中の１ラインあたりの読取時間の中間時点よりも前の時点となるように、１ラインの読取中、１回の点灯と消灯を行うこととした。
【００２３】
まず、読取速度を減速するとき、１ラインの読取時間のうち、前半ほど（前寄りであるほど）、読取速度は基準読取速度に近い。そこで、この構成によれば、移動部により基準読取速度から読取速度を減速するとき、光源は固定点灯時間の中央の時点が減速中の１ラインあたりの読取時間の中間時点よりも前の時点となるように、１ラインの読取中、１回の点灯と消灯を行う。これにより、１ライン中、読取速度が基準読取速度に近い時点で原稿に光が照射されるので、読取速度が基準の速度よりも遅いときでも、１ラインのうち、光が照射される範囲を広く確保することができる。言い換えると、読取速度の減速中での読取特性を基準の速度での読取特性に近づけることができる。従って、従来に比べ、基準読取速度での読み取られた部分（画像データ）に対し、読取速度の減速中に読み取られた部分（画像データ）の変化、劣化を無くすことができ、読取速度を変化させることによる画質へのデメリットを解消して、高画質化を図ることができる。
【００２４】
又、請求項７に係る発明は、請求項５又は６の発明において、前記移動部により前記基準読取速度となるまで読取速度を加速するとき、前記光源は加速中の１ラインあたりの読取時間の終了時点から前記固定点灯時間遡った時点で点灯し、前記終了時点に到ると消灯することとした。
【００２５】
この構成によれば、移動部により基準読取速度となるまで読取速度を加速するとき、光源は加速中の１ラインあたりの読取時間の終了時点から固定点灯時間遡った時点で点灯し、終了時点に到ると消灯する。これにより、読取速度が基準の速度よりも遅いときでも、１ラインのうち、光が照射される範囲を最大限広げることができる。
【００２６】
又、請求項８に係る発明は、請求項６又は７の発明において、前記移動部により前記基準読取速度から読取速度を減速するとき、前記光源は減速中の１ラインあたりの読取時間の開始時点から点灯し、前記固定点灯時間だけ点灯した後、消灯することとした。
【００２７】
この構成によれば、移動部により基準読取速度から読取速度を減速するとき、光源は減速中の１ラインあたりの読取時間の開始時点から点灯し、固定点灯時間だけ点灯した後、消灯する。これにより、読取速度が基準の速度よりも遅いときでも、１ラインのうち、光が照射される範囲を最大限広げることができる。
【００２８】
請求項９に係る画像形成装置は、請求項１乃至７の何れか１項に記載の画像読取装置を含むこととした。
【００２９】
画像形成装置は従来に比べて読取速度の加減速中の読み取り結果（画像データ）の変化、劣化が無く、読取速度を変化させることによる画質へのデメリットが解消され、高画質化が図られた画像読取装置を含む。従って、画像形成装置は高画質の画像データに基づき印刷等を行うことができ、高画質の画像形成装置を提供することができる。
【発明の効果】
【００３０】
本発明によれば、読取速度の加減速を行うとき、基準読取速度での読取に近づけるように光源を点灯させるタイミング等を調整する。そして、１ライン中で読み取りを行う範囲を基準読取速度での読み取りに近づける。これにより、読取速度を変化させることによる画質へのデメリットを解消し、画像読取装置、画像形成装置での高画質化を図ることができる。
【図面の簡単な説明】
【００３１】
【図１】複合機の模型的正面断面図である。
【図２】画像読取装置の一例を示す模型的正面断面図である。
【図３】複合機のハードウェア構成の一例を示すブロック図である。
【図４】画像読取装置の構成の一例を示すブロック図である。
【図５】基準読取速度での読み取りを説明するためのタイミングチャートである。
【図６】原稿読み取り中での読取速度の変化に関する説明図であり、（ａ）は載置読取用コンタクトガラス上の原稿を読み取るときの読取速度の変化の一例を示し、（ｂ）はオーバーフローの発生防止のための読取速度の変化の一例を示す。
【図７】第１の実施形態に係る画像読取装置での読取速度の加速時での点灯の一例を示す説明図である。
【図８】第１の実施形態に係る画像読取装置での読取速度の減速時での点灯の一例を示す説明図である。
【図９】第２の実施形態に係る画像読取装置での読取速度の加速時での点灯の一例を示す説明図である。
【図１０】第２の実施形態に係る画像読取装置での読取速度の加速時での点灯の一例を示す説明図である。
【発明を実施するための形態】
【００３２】
以下、図１〜図８に基づき、本発明の第１の実施形態を説明する。又、図９、図１０に基づき第２の実施形態を説明する。以下の説明では、画像読取装置１００を含む複合機２００（画像形成装置に相当）を例に挙げて説明する。但し、各実施の形態に記載されている構成、配置等の各要素は発明の範囲を限定するものではなく単なる説明例にすぎない。
【００３３】
（複合機２００の構成の概要）
まず、図１を用い、第１の実施形態に係る複合機２００の概略を説明する。図１は複合機２００の模型的正面断面図である。
【００３４】
図１に示すように、複合機２００の上部には、原稿Ｄの画像を読み取る画像読取部１（詳細は後述）と原稿搬送部２（詳細は後述、移動部に相当）とを含む画像読取装置１００が配される。又、複合機２００の正面前方には、画像読取装置１００や複合機２００の動作開始を指示するためのスタートキー３１や、表示部３２（例えば、液晶パネル）を有する操作パネル３が設けられる（図１に破線で図示）。表示部３２は、複合機２００の状態表示を行う他、機能選択ようのメニューや設定値設定用のキーなどを表示する。選択されたメニューやキーを認識するため、表示部３２はタッチパネル式である（タッチパネルを含む）。
【００３５】
そして、複合機２００の内部には、給紙部４ａ、搬送部４ｂ、画像形成部５ａ（詳細は後述）、中間転写部５ｂ、定着部５ｃ等が配される。
【００３６】
給紙部４ａは記録媒体として用紙（Ａ４、Ｂ４等の各サイズ）等の用紙を収納し、画像形成の際、用紙を供給する。搬送部４ｂは供給された用紙を排出トレイ４１まで搬送する。そのため、搬送部４ｂには、搬送ローラー対４２、４３、４４やレジストローラー対４５や排出ローラー対４６等が複数設けられる。
【００３７】
画像形成部５ａは複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部１で読み取られた画像データ等に基づき、レーザ光を点消灯しつつ出力し、各感光体ドラムを走査露光する。画像形成ユニット５０は回転駆動可能に支持された感光体ドラムや、感光体ドラムの周囲に配設された帯電装置、現像装置、清掃装置等を含む。そして、各画像形成ユニット５０と露光装置５１によって、感光体ドラムの周面上にトナー像が形成される。
【００３８】
中間転写部５ｂは画像形成部５ａの上方に設けられ、画像データに基づき、画像形成部５ａの各画像形成ユニット５０で形成されたトナー像の１次転写を受け、用紙にトナー像の２次転写を行う部分である。そして、中間転写ベルト５３は４本の１次転写ローラー５２Ｂｋ〜５２Ｍ、駆動ローラー５４、従動ローラー５５ａ、５５ｂ、４本の１次転写ローラー５２Ｂｋ〜５２Ｍ等に張架される。駆動ローラー５４にはモーター、ギア等の駆動手段（不図示）が接続され回転する。中間転写ベルト５３は駆動ローラー５４の回転により、図１において時計方向（矢印方向）に周回する。ここで、１次転写ローラー５２Ｂｋ〜５２Ｍは、各画像形成ユニット５０に対向して１本ずつ回転可能に配され、１次転写ローラー５２Ｂｋ〜５２Ｍに所定の大きさの電圧が印加される。電圧印加により、各色のトナー像が、各画像形成ユニット５０から中間転写ベルト５３に１次転写される。この１次転写の際、各色のトナー像はずれなく重ね合わせられる。
【００３９】
そして、中間転写ベルト５３に当接し、駆動ローラー５４に対向し、回転可能に支持される２次転写ローラー５６が中間転写部５ｂに設けられる。駆動ローラー５４と中間転写ベルト５３のニップに用紙とトナー像が進入した際、所定の電圧が２次転写ローラー５６に印加されトナー像は用紙に２次転写される。ベルトクリーニング装置５７は残トナー等を中間転写ベルト５３から除去し、清掃する。定着部５ｃは用紙に転写されたトナー像を定着させる。用紙は定着部５ｃを通過する際に加圧・加熱され、トナー像が用紙に定着する。その後、用紙は排出トレイ４１に排出され、画像形成が完了する。
【００４０】
（画像読取装置１００の概要）
次に、図２に基づき、第１の実施形態に係る画像読取装置１００を説明する。図２は画像読取装置１００の一例を示す模型的正面断面図である。
【００４１】
本実施形態の画像読取装置１００は画像読取部１とその上部に設けられた原稿搬送部２（移動部に相当）を含む。
【００４２】
まず、原稿搬送部２は読み取りを行う原稿Ｄを載置する原稿トレイ２１、原稿Ｄの搬送を行う複数の原稿搬送ローラー対２２、２３、２４、原稿搬送路２５、原稿排出ローラー対２６、原稿排出トレイ２７を備える。原稿トレイ２１上の原稿Ｄは、１枚ずつ原稿搬送路２５に送り出される。送り出された原稿Ｄは画像読取部１上面の送り読取用コンタクトガラス１１ａに接するように自動かつ連続的に搬送される。そして、原稿排出ローラー対２６は読取済の原稿Ｄを原稿排出トレイ２７に排出する。又、原稿搬送部２は紙面奥側設けられた支点（不図示）により、上方に持ち上げ可能であり、例えば書籍等の原稿Ｄを画像読取部１の上面の載置読取用コンタクトガラス１１ｂに載せることもできる。
【００４３】
画像読取部１は原稿Ｄに光を照射し、その反射光に基づき原稿Ｄを読み取って画像データを生成する。原稿読取のため、画像読取部１は、各コンタクトガラス、第１移動枠１２、第２移動枠１３、レンズ１４Ｌ、イメージセンサー１４等を備える。
【００４４】
第１移動枠１２は主走査方向に伸び、読取対象に光を照射する光源１５と第１ミラー１２１を備える。例えば、光源１５は複数のＬＥＤを含むＬＥＤランプ１５１である。光源１５は主走査方向に沿って原稿Ｄに光を照射する。第２移動枠１３は第２ミラー１３２、第３ミラー１３３を備える。第１ミラー１２１〜第３ミラー１３３は読取対象（原稿Ｄ）で反射された光をレンズ１４Ｌに導く。レンズ１４Ｌは原稿Ｄの反射光を結像し、イメージセンサー１４に導く。
【００４５】
例えば、本実施形態のイメージセンサー１４はＣＣＤ方式のものである。そして、イメージセンサー１４は複数の光電変換素子（画素）が列状に配されたラインセンサーを複数色分含む（不図示）。そして、イメージセンサー１４の各ラインセンサーは原稿Ｄの読み取りのため、光源１５から原稿Ｄに当たり、レンズ１４Ｌで結像された反射光が入射されることにより反射光量に応じた光電変換を行う（詳細は後述）。
【００４６】
又、第１移動枠１２と第２移動枠１３はワイヤー１６ｗ（移動部に相当）で巻取ドラム１６ｄ（移動部に相当）に接続される（画像読取装置１００の左右方向への移動のため、各移動枠（第１移動枠１２と第２移動枠１３）には複数のワイヤー１６ｗが接続されるが便宜上、図３では、ワイヤー１６ｗを１本のみ図示）。巻取ドラム１６ｄは正逆回転する巻取モーター１６（図４参照、移動部に相当）により回転させられる。これにより、各移動枠を水平方向（複合機２００の左右方向）に自在に移動させることができる。
【００４７】
そして、原稿搬送部２を用いて原稿Ｄを読み取る時、各移動枠は送り読取用コンタクトガラス１１ａの下方で固定される。一方、載置読取用コンタクトガラス１１ｂ上の原稿Ｄを読み取る時、巻取ドラム１６ｄの回転駆動により各移動枠を水平方向に移動させて読み取りが行われる。
【００４８】
本実施形態の画像読取装置１００では、そして、載置読取用コンタクトガラス１１ｂに載置された原稿Ｄの読み取りに関しては、各移動枠を移動させる巻取モーター１６や巻取ドラム１６ｄやワイヤー１６ｗが移動部に相当する。又、送り読取用コンタクトガラス１１ａ上で搬送される原稿Ｄの読み取りに関しては、原稿搬送部２が移動部に相当する。
【００４９】
（複合機２００のハードウェア構成）
次に、図３に基づき、第１の実施形態に係る複合機２００のハードウェア構成を説明する。図３は複合機２００のハードウェア構成の一例を示すブロック図である。
【００５０】
図３に示すように、本実施形態に係る複合機２００は内部に主制御部６を有する。主制御部６は複合機２００全体の制御を司る。例えば、主制御部６はＣＰＵ６１、記憶部６２等を含む。又、主制御部６は、画像処理部６３と接続される。
【００５１】
ＣＰＵ６１は中央演算処理装置であって、記憶部６２に格納され、展開される制御プログラムに基づき複合機２００の各部の制御や演算を行う。記憶部６２はＲＯＭ、ＲＡＭ、ＨＤＤ、フラッシュＲＯＭ等の記憶装置で構成される。記憶部６２は、複合機２００の制御用プログラム、制御用データ、設定データ、画像読取部１でスキャンした画像データ等を記憶する。
【００５２】
そして、主制御部６は画像読取装置１００（原稿搬送部２や画像読取部１）や、複合機２００内の印刷エンジン部４０（給紙部４ａ、搬送部４ｂ、画像形成部５ａ、定着部５ｃなどの印刷に関する部分）、操作パネル３等と接続され、記憶部６２の制御プログラムやデータに基づき、適切に画像形成が行われるように各部の動作を制御する。尚、主制御部６は全体制御や画像処理を行うメイン制御部や、印刷エンジン部４０を制御するエンジン制御部（例えば、各種回転体を回転させるモーター等のＯＮ／ＯＦＦ等を制御）等、主制御部６を機能ごとに分割し、制御を行う部分が複数種設けられてもよい。
【００５３】
更に、主制御部６は各種コネクタ、ソケット、通信制御用のチップ等を備えた通信部６４と接続される。通信部６４はネットワークやケーブルや公衆回線等によりコンピューター３００（例えば、パーソナルコンピューターやサーバー）や、相手方のＦＡＸ装置４００と複合機２００とを通信可能に接続する。例えば、画像読取装置１００での読み取りにより得られた画像データを外部のコンピューター３００やＦＡＸ装置４００（インターネットＦＡＸでもよい）に送信することができる（スキャナ機能、ＦＡＸ機能）。又、外部のコンピューター３００やＦＡＸ装置４００からの画像データを記憶部６２に蓄積したり、印刷したりすることもできる（プリンタ機能、ＦＡＸ機能）。
【００５４】
（画像読取装置１００のハードウェア構成）
次に、図４に基づき、第１の実施形態に係る画像読取装置１００のハードウェア構成の一例を説明する。図４は画像読取装置１００の構成の一例を示すブロック図である。
【００５５】
本実施形態の画像読取装置１００は原稿搬送部２と画像読取部１を含む。原稿搬送部２には、原稿搬送部２の動作の制御を行う原稿搬送制御部２０が設けられる。一方、画像読取部１には、画像読取部１の動作の制御を行う読取制御部１０が設けられる。
【００５６】
まず、原稿搬送制御部２０を説明する。原稿搬送制御部２０は上述の主制御部６や読取制御部１０と接続され、主制御部６や読取制御部１０からの指示、信号を受け原稿搬送部２の動作制御を行う。原稿搬送制御部２０は、例えば、中央演算処理装置としてのＣＰＵや、制御用のプログラムやデータを記憶する記憶装置としてのＲＯＭ、ＲＡＭを含む基板である。原稿搬送制御部２０は、主制御部６等と通信を行い、又、主制御部６等の指示を受け、原稿搬送部２の動作制御を行う。例えば、主制御部６から原稿Ｄの読取指示があった場合、原稿搬送モーター２８を駆動させ、原稿搬送ローラー対４２、４３、４４等を回転させる。
【００５７】
又、原稿搬送制御部２０は原稿搬送モーター２８の回転速度を制御し、原稿搬送（原稿Ｄを移動させる速度）を変化させ、原稿Ｄの読取速度や副走査方向での１ラインあたりの読取時間を変化させることができる。
【００５８】
次に、画像読取部１を説明する。画像読取部１に設けられた読取制御部１０は主制御部６や原稿搬送制御部２０と通信可能に接続される。そして、読取制御部１０は主制御部６からの指示、信号を受け、画像読取部１の動作制御を行う。例えば、読取制御部１０はＣＰＵや、画像読取装置１００の制御に必要なプログラム、データを記憶する記憶装置としてのＲＯＭ、ＲＡＭを含む基板である。
【００５９】
例えば、操作パネル３のスタートキー３１が押された等、主制御部６の指示を受け、読取制御部１０は、画像読取装置１００の動作制御や、読取で得られた画像データの主制御部６への送信制御を行う。
【００６０】
画像読取部１には、巻取モーター１６が設けられる。そして、読取制御部１０は巻取モーター１６と接続される。読取制御部１０は巻取モーター１６の回転、停止を制御し、巻取ドラム１６ｄを回転させて各移動枠（第１移動枠１２と第２移動枠１３）を移動させる。又、読取制御部１０は巻取モーター１６の回転速度を制御し、各移動枠（光源１５等）の移動速度を変化させることで、原稿Ｄの読取速度や副走査方向での１ラインあたりの読取時間を変化させる。
【００６１】
又、画像読取部１は光源１５、イメージセンサー１４、Ａ／Ｄ変換部１７、第１画像処理部１８、画像メモリー１９等を含む。読取制御部１０は光源１５、イメージセンサー１４、Ａ／Ｄ変換部１７、第１画像処理部１８等と接続される。画像読取部１は原稿Ｄの読み取りを行うとき、これらの部分に対し駆動すべき旨の指示を与え、動作を制御する。
【００６２】
まず、光源１５はＬＥＤランプ１５１を含む。例えば、ＬＥＤランプ１５１はｒｅｄ、ｇｒｅｅｎ、ｂｌｕｅのＬＥＤを含み、白色光を原稿Ｄに照射する。尚、光源１５に用いるランプはＬＥＤに限られない。
【００６３】
そして、図４に示すように、光源１５には、光源１５（ＬＥＤランプ１５１）の点消灯を行うスイッチとしての点灯回路１５２が設けられる。光源１５を点灯するとき、点灯回路１５２は予め定められた光量で発光するようにＬＥＤランプ１５１に電流を流す。尚、光源１５には、受光素子や受光素子の出力に基づきＬＥＤランプ１５１に流す電流を調整する回路を含み、ＬＥＤランプ１５１を一定の発光量で発光させる補償回路１５３を設けてもよい。
【００６４】
イメージセンサー１４は複数のラインセンサーを含む。例えば、ラインセンサーとしては、Ｒｅｄ、Ｇｒｅｅｎ、Ｂｌｕｅ、白黒（輝度、図４ではＢｋと図示）の４種類が設けられる。各色のラインセンサーは原稿Ｄで反射された光を受け、１ライン毎に各画素についてアナログの電気信号を出力して原稿Ｄ（読取対象）の読み取りを行う。電気信号の大きさは受光量（原稿Ｄの反射率）に応じ異なる。そして、副走査方向にラインの読み取りをくりかえすことで、２次元の原稿Ｄの読み取りがなされる。尚、白黒を省略し、Ｒ、Ｇ、Ｂの３色のラインセンサーの読み取り結果から画像処理により輝度情報を生成するようにしてもよい。
【００６５】
Ａ／Ｄ変換部１７はイメージセンサー１４の各ラインセンサーによって得られた各ラインの各画素のアナログの電気信号の転送を受け、量子化を行い、ディジタル信号に変換する。例えば、Ａ／Ｄ変換部１７は、Ｒ、Ｇ、Ｂ、白黒についてそれぞれ８〜１０ビット（計３２ビット〜４０ビット）に量子化を行う。
【００６６】
第１画像処理部１８はＡ／Ｄ変換部１７が出力した画像データを受け、画像処理を施す。尚、本実施形態では、画像読取部１に第１画像処理部１８を、画像処理部６３を主制御部６に設ける例を説明するが、例えば、画像処理部６３を本体側に一つだけ設け、１つだけ設けた画像処理部６３に、本説明での第１画像処理部１８の処理と画像処理部６３の処理を行わせるようにしてもよい。言い換えると、画像処理を行う部分として画像処理部６３を１つだけ設けるようにしてもよい。
【００６７】
第１画像処理部１８内に、ワークメモリ１８１、点灯制御部１８２、同期信号発生部１８３、画像処理回路１８４等が設けられる。ワークメモリ１８１は、画像データの処理のための作業領域であり、Ａ／Ｄ変換部１７からの画像データはワークメモリ１８１に蓄えられる。
【００６８】
同期信号発生部１８３は、原稿Ｄの読み取りで同期をとるための同期信号を発する。例えば、同期信号発生部１８３は、１ライン分の読み取りで同期をとるための水平同期信号ＨＳＹＮＣを発する。同期信号発生部１８３は現在の各移動枠の移動速度や読取対象（原稿Ｄ）の移動速度に応じ、水平同期信号の周期を変化させる。言い換えると、同期信号発生部１８３は読取速度（１ラインあたりの読取時間）にあわせて水平同期信号を変化させる。
【００６９】
例えば、水平同期信号ＨＳＹＮＣは読取制御部１０や点灯制御部１８２やイメージセンサー１４やＡ／Ｄ変換部１７に与えられる。例えば、原稿読取の際、イメージセンサー１４は水平同期信号ＨＳＹＮＣにあわせて電荷の蓄積開始と終了のタイミングをとり、蓄積期間の切り替えに応じ、１ラインのうちで先頭にあたる画素から電気信号の出力を開始する。又、例えば、Ａ／Ｄ変換部１７は、水平同期信号ＨＳＹＮＣにあわせて、電気信号のディジタル化を行い、第１画像処理部１８に画像データを出力する。
【００７０】
点灯制御部１８２は光源１５（ＬＥＤランプ１５１）の点灯を指示する点灯指示信号を光源１５の点灯回路１５２に送る。例えば、点灯制御部１８２はＰＷＭ回路である。点灯回路１５２は点灯指示信号の状態（ＨｉｇｈかＬｏｗか）に基づき光源１５の点消灯を行う。尚、点灯制御部１８２を設けず、読取制御部１０が光源１５の点灯を制御するようにしてもよい。
【００７１】
画像処理回路１８４は原稿Ｄの読み取りにより得られ、主制御部６や記憶部６２に向けて送信する前に画像データに対して画像処理を行う回路である。画像処理回路１８４に行わせる画像処理は適宜定めることができる。例えば、画像処理回路１８４は画像データに対し、ガンマ補正やシェーディング補正等、光源１５やイメージセンサー１４等の特性に由来する歪みを補正する画像処理を行う。尚、フィルター処理や圧縮処理など、画像処理回路１８４に他種の画像処理を行わせてもよい。第１画像処理部１８によって処理された画像データは、画像メモリー１９に蓄えられた後、主制御部６や記憶部６２に転送される。主制御部６や記憶部６２に転送された画像データは、第２画像処理部６３により画像処理を施された後、例えば、印刷のため露光装置５１に与えられたり、通信部６４からコンピューター３００等に向けて送信されたりする。
【００７２】
（基準読取速度ｖ１での読み取り）
次に、図５に基づき第１の実施形態に係る画像読取装置１００での基準読取速度ｖ１での読み取りを説明する。図５は基準読取速度ｖ１での読み取りを説明するためのタイミングチャートである。
【００７３】
本実施形態の画像読取装置１００は基準（通常）の読取速度（１ラインあたりの読取時間）が決まっている。原則として、原稿搬送部２や巻取モーター１６やイメージセンサー１４や光源１５は基準読取速度ｖ１で原稿Ｄの読み取り処理を行う。尚、詳細は後述するが、本実施形態の画像読取装置１００は読取速度を変化させることができる。そこで、まず、図５を用いて基準読取速度ｖ１（通常の読取速度）での読み取りを説明する。
【００７４】
図５のうち、最上段のタイミングチャートは水平同期信号を示す（図７、図８、図９、図１０も同様）。図５のうち、中段のタイミングチャートは光源１５の点消灯を示す（Ｈｉｇｈが点灯、Ｌｏｗが消灯。点灯制御部１８２が発する点灯指示信号とも言える、図７、図８、図９、図１０も同様）。図５のうち最下段のグラフは時間と読取速度との関係を示し（図７、図８、図９、図１０も同様）、図５では読取速度が基準読取速度ｖ１で一定である状態を示している。
【００７５】
例えば、載置読取用コンタクトガラス１１ｂに載置された原稿読取のとき、読取制御部１０は読取速度が基準読取速度ｖ１となる（１ラインあたりの読取時間が基準読取時間となる）回転速度で巻取モーター１６を回転させ、回転速度を維持させる。又、送り読取用コンタクトガラス１１ａ上を通過する原稿Ｄの読み取りのとき、原稿搬送制御部２０は読取速度が基準読取速度ｖ１となる（１ラインあたりの読取時間が基準読取時間となる）ように原稿Ｄが搬送される速度で原稿搬送モーター２８を回転させ、回転速度を維持させる。
【００７６】
図５に二点鎖線で示すように、基準読取速度ｖ１で読取速度を保つとき、１ラインあたりの読取時間（基準読取時間）は各ラインで等しくなる。そのため、基準読取速度ｖ１を維持しているとき、読取制御部１０は立ち上がりから立ち上がりまでの周期が同じ水平同期信号を同期信号発生部１８３に生成させる。尚、本実施形態の画像読取装置１００では、立ち上がりエッジ（立ち下がりエッジでもよい）を基準とし、１ラインあたりの読取時間（周期）を定める。
【００７７】
そして、点灯制御部１８２は各ラインの読取時間の間、予め定められた固定点灯時間Ｔ１続けて光源１５を点灯させる。尚、１ラインでの点灯と消灯はそれぞれ１回である。又、光源１５は予め定められた光量で点灯するので、光源１５から発せられる光量はどのラインでも同じとなる。
【００７８】
（加減速時の分散点灯）
次に、図６〜図８を用いて、第１の実施形態に係る画像読取装置１００での光源１５の点灯（加減速時での分散点灯）を説明する。図６は原稿読取中での読取速度の変化に関する説明図であり、（ａ）は載置読取用コンタクトガラス１１ｂ上の原稿Ｄを読み取るときの読取速度の変化の一例を示し、（ｂ）はオーバーフローの発生防止のための読取速度の変化の一例を示す。図７は第１の実施形態に係る画像読取装置１００での読取速度の加速時での点灯の一例を示す説明図である。図８は第１の実施形態に係る画像読取装置１００での読取速度の減速時での点灯の一例を示す説明図である。
【００７９】
まず、図６（ａ）を用いて、載置読取用コンタクトガラス１１ｂに載置された原稿Ｄの読み取り中での読取速度の変化について説明する。本実施形態の画像読取装置１００では、載置読取用コンタクトガラス１１ｂに載置された原稿Ｄを読み取り前、例えば、各移動枠はホームポジションの位置で待機している。例えば、ホームポジションは載置読取用コンタクトガラス１１ｂよりも送り読取用コンタクトガラス１１ａ側に設けられる。尚、ホームポジションにあることを検知するためのホームポジションセンサー１１ｓ（例えば、移動枠の位置を検知する光センサー、図４参照）が設けられる。読取制御部１０はホームポジションセンサー１１ｓの出力を受け、各移動枠の位置がホームポジションであることを認識する。
【００８０】
そして、載置読取用コンタクトガラス１１ｂに載置された原稿Ｄの読み取りを開始すると、読取制御部１０は巻取モーター１６を回転させ、各移動枠をホームポジションから右方向（載置読取用コンタクトガラス１１ｂ方向）に移動させる。そして、読取制御部１０は載置読取用コンタクトガラス１１ｂの下方に到ると光源１５を点灯させ、イメージセンサー１４に読み取りを開始させる。
【００８１】
ホームポジションから載置読取用コンタクトガラス１１ｂの左端部に到達までという比較的短い時間の間に（各移動枠の移動開始から読み取り開始までの間に）、読取速度が基準読取速度ｖ１となるまで各移動枠の移動速度を加速させるには、高トルクで高性能なモーターが必要となる。しかし、このようなモーターは高価格などのデメリットがある。そこで、図６（ａ）に示すように、本実施形態の画像読取装置１００では、載置読取用コンタクトガラス１１ｂの左端部からの読み取り開始後、読取速度が基準読取速度ｖ１になるまで移動枠の移動速度を加速する。言い換えると、読み取りの初期段階では読取速度を基準読取速度ｖ１まで加速する。読取速度が基準読取速度ｖ１となると、読取制御部１０は原則、読取速度が基準読取速度ｖ１で保たれるように、移動枠の移動速度を保つようにする（巻取モーター１６の回転速度を維持する）。そして、読取速度の加速中、光源１５の点灯を制御し、読取速度を加速しても画質の低下を防ぎ、低トルクのモーターでも問題なく読み取りを行えるようにする（詳細は後述）。
【００８２】
次に、図６（ｂ）を用いて、基準読取速度ｖ１到達後の読取速度の変化を説明する。まず、読み取りで得られた画像データは、画像読取装置１００の画像メモリー１９に蓄積され、その後、本体側の主制御部６や記憶部６２に出力される。
【００８３】
そして、画像メモリー１９でオーバーフローが生じないように読み取り速度を落とすべき場合がある。例えば、複合機２００をスキャナとして利用する場合、主制御部６の処理負荷が大きくなっている場合や、コンピューター３００への画像データの送信速度が遅くなっている状態では、画像メモリー１９からの画像データの出力速度（転送速度）が遅延することがある。
【００８４】
画像メモリー１９の容量には制限がある。そのため、遅延が大きくなるとオーバーフローが生ずる。オーバーフローが生ずると、読み取りで得られた画像データの一部が失われる。このオーバーフローは載置読取用コンタクトガラス１１ｂ上の原稿Ｄを読み取る場合でも生じ得るし、原稿搬送部２により搬送される原稿Ｄを読み取る場合にも生じ得る。そして、画像データが生成される速度を落とせば、オーバーフローが生ずることを避けることができる。そこで、図６（ｂ）に示すように、本実施形態の読取制御部１０は画像メモリー１９のオーバーフローが生じそうなとき（例えば、画像メモリー１９の残容量が閾値を下回ったとき。例えば、図６（ｂ）での時点ｔ１。）、原稿搬送モーター２８や巻取モーター１６やイメージセンサー１４等を制御して意図的に読取速度を減速する。
【００８５】
そして、図６（ｂ）に示すように、読取制御部１０は基準読取速度ｖ１で読み取りを行っても画像メモリー１９でのオーバーフローが生じなくなったと認められるとき（例えば、画像メモリー１９の残容量が閾値以上となったとき。例えば、図６（ｂ）での時点ｔ２。）、読取速度を基準読取速度ｖ１に戻すため、読取速度を加速させる。
【００８６】
このように、本実施形態の画像読取装置１００は読取速度の加減速を行う。ここで、点灯制御部１８２（読取制御部１０）は、各ラインで光量を一定にするため、読取速度によらず、１ラインあたりの読取時間内で一定の光量で固定点灯時間Ｔ１だけ光源１５を点灯させる。
【００８７】
更に、本実施形態の画像読取装置１００では点灯制御部１８２は基準読取速度ｖ１での読み取り範囲に近づくように１ライン中、複数回の点消灯を光源１５に行わせる。
【００８８】
図７は読取速度のグラフに示すように、読取速度の加速時の光源１５の点消灯の一例を示す説明図である、図８は読取速度のグラフに示すように、読取速度の減速時の光源１５の点消灯の一例を示す説明図である。
【００８９】
そして、図７に示すように、読取速度の加速時は水平同期信号の周期（１ラインあたりの読取時間）は次第に短くなる。一方、図８に示すように、読取速度の減速時は水平同期信号の周期（１ラインあたりの読取時間）は次第に長くなる。
【００９０】
本実施形態の光源１５は１ラインあたりの読取時間が基準読取時間よりも長くなると、点灯制御部１８２は１ラインの読取時間の間に複数回分散して光源１５を点消灯させる（分散点灯）。図７、図８に示す例では、１ライン中２〜３回分散点灯する例を示しているが、４回以上でもよい。尚、１ライン中の光源１５の発光量を統一するため、点灯制御部１８２は１ライン中の点灯時間の合計が固定点灯時間Ｔ１となるように光源１５に分散点灯させる。
【００９１】
従来のように、読取速度を問わず、１ラインの読取の間、固定点灯時間Ｔ１で１回の点消灯を行っても各ラインでの光源１５の発光量を統一できる。しかし、１ラインあたりの読取時間が基準読取時間よりも長い状態で（読取速度が基準読取時間よりも遅い状態で）、固定点灯時間Ｔ１で１回の点消灯を行うと、基準読取速度ｖ１で読み取っているときよりも、１ライン間での読取区間（読取幅、光源１５を点灯する区間、原稿Ｄに光を照射する範囲）が短くなる。そこで、本実施形態では、分散点灯を行って、１ラインの読み取りでの光源１５の点灯開始から最終的に点灯を終えるまでの読取区間を広げ、基準読取速度ｖ１での読み取りの読取区間に近づけることできる。
【００９２】
具体的に、本実施形態の画像読取装置１００では、点灯制御部１８２は１ライン中、基準読取速度ｖ１での読み取りのときの光源１５の点灯の開始位置に対応する位置から点灯を終了する位置に対応する位置までの間で、加速中や減速中の読み取りのとき光源１５を分散点灯させる。更に詳しく言えば、図７や図８に示すように、点灯制御部１８２は１ライン中、基準読取速度ｖ１での読み取りのときの光源１５の点灯の開始位置に対応する位置で光源１５を一度点消灯し、基準読取速度ｖ１での読み取りのときの光源１５の点灯を終了する位置に対応する位置の前から点灯を開始し、終了位置に対応する位置で光源１５の点灯を終了させる。これにより、加減速中でも、１ライン中の読取区間（読み取り開始位置と終了位置、光源１５を点灯する区間、原稿Ｄに光を照射する範囲）を基準読取速度ｖ１での読み取りのときと同じにすることができる。これにより、加減速中の読み取り結果と基準読取速度ｖ１での読み取り結果に、濃度等の点で大きな違和感がなくなり、読取速度を変化させることによる画質の劣化をなくすことができる。
【００９３】
例えば、加速に関し、どのような加速度で加速を行うかを示すデータや、加速を行うときの各ラインの読取時間（水平同期信号の周期）の推移を示すデータを予め定めておく。そして、読取速度加速中の１ラインあたりの読取時間のうち、基準読取速度ｖ１での光源１５の点灯開始位置と消灯位置を定めたデータを用意する。これらのデータを画像読取装置１００内に設けられた不揮発性のメモリー１０ａに記憶させる（図４参照）。そして、読取制御部１０や点灯制御部１８２はメモリー１０ａに記憶されたデータに基づき、予め決められたパターン（ステップ、手順）で読取速度の加速と分散点灯を行う。これにより、読取速度を加速しても、確実に１ライン中の読み取り開始位置と終了位置を基準読取速度ｖ１での読み取りのときと同じにすることができる。尚、加速中、変化する水平同期信号の周期にあわせて読取制御部１０や点灯制御部１８２が演算することにより、分散点灯を行う時点を定め、定めた時点にあわせ光源１５に分散点灯させてもよい。
【００９４】
又、例えば、減速に関し、どのような減速度で減速を行うかを示すデータや、減速を行うときの各ラインの読取時間（水平同期信号の周期）の推移を示すデータを予め定めておく。そして、読取速度減速中の１ラインあたりの読取時間のうち、基準読取速度ｖ１での光源１５の点灯開始位置と消灯位置に対応する時点を定めたデータを予め求めておく。これらのデータを画像読取装置１００内に設けられた不揮発性のメモリー１０ａ（図４参照）に記憶させる。そして、読取制御部１０や点灯制御部１８２はメモリー１０ａに記憶されたデータに基づき、予め決められたパターン（ステップ、手順）で読取速度の減速と分散点灯を行う。これにより、読取速度を減速中しても、確実に１ライン中の読み取り開始位置と終了位置を基準読取速度ｖ１での読み取りのときと同じにすることができる。尚、減速中、変化する水平同期信号の周期にあわせて読取制御部１０や点灯制御部１８２が演算することにより、分散点灯を行う時点を定め、定めた時点にあわせ光源１５に分散点灯させてもよい。
【００９５】
このようにして、本実施形態の画像読取装置１００は予め定められた幅の１ラインの読取中に予め定められた固定点灯時間Ｔ１、予め定められた光量で点灯して読取対象に光を照射する光源１５と、複数の光電変換素子を含み、読取対象からの反射光に基づき１ライン毎に読取対象の読み取りを行うイメージセンサー１４と、光源１５又は読取対象を移動させる速度を変化させて１ラインあたりの読取時間と読取速度を変化させる移動部（巻取モーター１６、巻取ドラム１６ｄ、ワイヤー１６ｗや原稿搬送部２等）と、を含み、移動部により、１ラインあたりの読取時間が予め定められた基準読取時間となる読取速度である基準読取速度ｖ１まで読取速度を加速するとき、又は、基準読取速度ｖ１から読取速度を減速するとき、イメージセンサー１４は読取速度の変化にあわせて変化する１ラインあたりの読取時間にあわせて１ライン毎に読み取りを行い、光源１５は基準読取時間での１ライン中の読取区間に近づくように点灯する。
【００９６】
まず、光源１５は予め定められた光量で点灯し、読取速度が基準の速度よりも遅くても、１ラインの読取時間中に光源１５が原稿Ｄを照射する時間は固定点灯時間Ｔ１であり一定とされる。そのため、１ラインの読取時間が変化しても、１ライン中の光源１５の発光量は変わらない。言い換えると、イメージセンサー１４が受光できる光量の最大量は読取速度を問わず、各ライン間で差が無い。従って、読取速度によるイメージセンサー１４の電荷蓄積量の差に起因する各ラインでの濃度差は生じない。
【００９７】
更に、読取速度の加減速中の１ラインで読み取りを行う範囲を、基準の速度で読み取っているときの読み取り範囲に近づけることができる。従って、基準読取速度ｖ１と異なる読取速度で読み取られた読み取り結果（画像データ）と、基準読取速度ｖ１で読み取られた読み取り結果（画像データ）の間で違和感がないように原稿読取を行うことができる。又、１枚の原稿読取中に読取速度を変化させても、従来に比べ、読取速度の加減速中の読み取り結果（画像データ）の変化、劣化を無くすことができ、読取速度を変化させることによる画質へのデメリットを解消し、高画質化を図ることができる。
【００９８】
又、まず、１ライン中の光源１５の点灯時間が固定であり、１ライン中の点消灯が１回であれば、光源１５を点灯させている１ライン内での読取区間（光源１５を点灯する区間、原稿Ｄに光を照射する範囲）は、読取速度が遅いほど狭くなる。そこで、移動部（巻取モーター１６、巻取ドラム１６ｄ、ワイヤー１６ｗや原稿搬送部２等）により、基準読取速度ｖ１まで読取速度を加速するとき、又は、基準読取速度ｖ１から読取速度を減速するとき、光源１５は１ラインあたりの読取時間中、点灯している時間の合計が固定点灯時間Ｔ１となるように複数回点消灯する分散点灯を行う。
これにより、読取速度が基準の速度よりも遅いときでも、１ラインの読み取りでの光源１５の点灯開始から、最終的に点灯を終えるまでの読取区間（光源１５を点灯する区間、原稿Ｄに光を照射する範囲）を広げることができる。従って、読取速度が基準の速度よりも遅くても、１ラインの読取幅のうち局所ではなく、広い範囲に渡って読み取りを行うことができる。言い換えると、読取速度の加速中や減速中での読取特性を基準読取速度ｖ１での読取特性に近づけることができる。従って、従来に比べ、基準読取速度ｖ１での読み取られた部分（画像データ）に対し、読取速度の加減速中の読み取られた部分（画像データ）の変化、劣化を無くすことができ、読取速度を変化させることによる画質へのデメリットを解消して、高画質化を図ることができる。
【００９９】
又、光源１５は分散点灯を行うとき、基準読取速度ｖ１での読取のときの１ライン中での点灯開始位置から点灯終了位置までの間で分散点灯を行う。これにより、読取速度が基準読取速度ｖ１よりも遅い状態でも、１ラインのうち、基準の速度で読み取るときに光が照射される範囲（読み取られる範囲）と同様の範囲に対し光を照射し、読み取ることができる。言い換えると、読取速度が基準読取速度ｖ１よりも遅い状態のときの１ラインのうち読み取る範囲を、基準読取速度ｖ１での読取範囲に確実に近づけることができる。
【０１００】
又、光源１５は分散点灯を行うとき、基準読取速度ｖ１での読取のときの１ライン中での点灯開始位置で点灯した後消灯するとともに、点灯終了位置の前から点灯を開始し、点灯終了位置に到ると消灯する。これにより、読取速度が基準読取速度ｖ１よりも遅いときでも、１ラインのうち、基準の速度で読み取るときに光が照射される範囲（読み取られる範囲）と同じの範囲で光の照射を開始し、光の照射を終了させることができる。言い換えると、読取速度が基準読取速度ｖ１よりも遅い状態のときの１ラインのうち読み取る範囲を、擬似的に基準読取速度ｖ１での読取範囲と一致させることができる。
【０１０１】
又、画像形成装置（複合機２００）は実施形態に係る画像読取装置１００を含む。画像形成装置（複合機２００）は従来に比べて読取速度の加減速中の読み取り結果（画像データ）の変化、劣化が無く、読取速度を変化させることによる画質へのデメリットが解消され、高画質化が図られた画像読取装置１００を含む。従って、画像形成装置（複合機２００）は高画質の画像データに基づき印刷等を行うことができ、高画質の画像形成装置（複合機２００）を提供することができる。
【０１０２】
（第２の実施形態）
次に、図９、図１０を用いて、第２の実施形態に係る画像読取装置１００での光源１５の点灯を説明する。図９は第２の実施形態に係る画像読取装置１００での読取速度の加速時での点灯の一例を示す説明図である。図１０は第２の実施形態に係る画像読取装置１００での読取速度の加速時での点灯の一例を示す説明図である。
【０１０３】
第２の実施形態は第１の実施形態と読取速度の加減速中の光源１５の点消灯の手法が異なる。しかし、その他の点は第１の実施形態の画像読取装置１００、画像形成装置と同様でよい。そのため、特に説明する部分を除き、第１の実施形態での説明は第２の実施形態に対しても適用できるものとして、説明、図示を省略する。
【０１０４】
まず、図９を用いて読取速度を基準読取速度ｖ１まで加速する場合を説明する。本実施形態では、読取速度を加速しているときも基準読取速度ｖ１で読み取りしているときと同様に、点灯制御部１８２は１ラインの読取中、固定点灯時間Ｔ１で１回の点灯と消灯を行う点で第１の実施形態（分散点灯）と異なる。又、点灯制御部１８２は固定点灯時間Ｔ１の中央の時点が加速中の１ラインあたりの読取時間の中間時点よりも後の時点となるように光源１５の点消灯を行う点で第１の実施形態と異なる。
【０１０５】
図９に示すように、水平同期信号の立ち上がり（破線で図示）の周期で示される１ラインあたりの読取時間中、点灯制御部１８２は固定点灯時間Ｔ１で１回の点灯と消灯を行う。
【０１０６】
そして、図９に示すように、読取速度が基準読取速度ｖ１よりも遅ければ、固定点灯時間Ｔ１で点灯させたときに光が照射される副走査方向での読取区間（読取範囲、光源１５を点灯する区間、原稿Ｄに光を照射する範囲）は基準読取速度ｖ１のときよりも短くなる（狭くなる）。読取速度が速くなっている状態で（読取速度が基準読取速度ｖ１に近い状態で）光源１５を点灯させれば、１ライン中の読取区間（光が照射される範囲）をできるだけ副走査方向で広くとることができ、基準読取速度ｖ１での読取区間に近づけることができる。そこで、加速中、点灯制御部１８２は、固定点灯時間Ｔ１の中央の時点が加速中の１ラインあたりの読取時間の中間時点よりも後の時点となるように光源１５の点消灯を行う。尚、図９では、実線矢印を用いて固定点灯時間Ｔ１の中央の時点と、１ラインあたりの読取時間の中間時点を示している（図１０も同様）。
【０１０７】
固定点灯時間Ｔ１の中央の時点が加速中の１ラインあたりの読取時間の中間時点よりも後の時点となるように光源１５の点消灯を行えば、１ライン中、読取速度が基準読取速度ｖ１に近づいているので、基準読取速度ｖ１での読取区間（読取範囲、光源１５を点灯する区間、原稿Ｄに光を照射する範囲）に近づけられるという効果を得ることができる。そして、最も効果を得るため、図９の最初の光源１５点灯の波形に示すように、光源１５は加速中の１ラインあたりの読取時間の終了時点から固定点灯時間Ｔ１遡った時点で点灯し、終了時点に到ると消灯するようにしてもよい。言い換えると、光源１５の点灯を隣のラインにまたがない範囲でぎりぎりまで遅らせる。これにより、光が照射される副走査方向での範囲を最も大きくし、基準読取速度ｖ１での読み取りでの光が照射される副走査方向での範囲に近づけることができる。尚、読取速度の加速中、全てのラインについて、１ラインあたりの読取時間の終了時点から固定点灯時間Ｔ１遡った時点で点灯し、終了時点に到ると消灯するようにしてもよい。
【０１０８】
例えば、加速に関し、どのような加速度で加速を行うかを示すデータや、加速を行うときの各ラインの読取時間（水平同期信号の周期）の推移を示すデータを予め定めておく。そして、固定点灯時間Ｔ１の中央の時点が加速中の１ラインあたりの読取時間の中間時点よりも後の時点となるように、読取速度加速中の１ラインあたりの読取時間のうち、光源１５を点灯させる時点（水平同期信号の立ち上がりからの経過時間）を定めたデータを予め求めておく。これらのデータを画像読取装置１００内に設けられた不揮発性のメモリー１０ａに記憶させる（図４参照）。そして、読取制御部１０や点灯制御部１８２はメモリー１０ａに記憶されたデータに基づき、予め決められたパターン（ステップ、手順）で読取速度の加速と点灯を行う。これにより、読取速度を加速中しても、１ライン中、光が照射される副走査方向での範囲を広げることができる。
【０１０９】
次に、図１０を用いて読取速度を基準読取速度ｖ１から減速する場合を説明する。本実施形態では、読取速度の減速中、点灯制御部１８２は１ラインの読取中、固定点灯時間Ｔ１で１回の点灯と消灯を行う点で第１の実施形態（分散点灯）と異なる。又、点灯制御部１８２は固定点灯時間Ｔ１の中央の時点が減速中の１ラインあたりの読取時間の中間時点よりも前の時点となるように光源１５の点消灯を行う点で第１の実施形態と異なる。
【０１１０】
図１０に示すように、水平同期信号の立ち上がり（破線で図示）の周期で示される１ラインあたりの読取時間中、点灯制御部１８２は固定点灯時間Ｔ１で１回の点灯と消灯を行う。
【０１１１】
そして、図１０に示すように、読取速度が基準読取速度ｖ１よりも遅ければ、固定点灯時間Ｔ１で点灯させたときに光が照射される副走査方向での読取区間（読取範囲、光源１５を点灯する区間、原稿Ｄに光を照射する範囲）は基準読取速度ｖ１のときよりも短くなる（狭くなる）。読取速度が速い状態で（読取速度が基準読取速度ｖ１に近い状態で）光源１５を点灯させれば、１ライン中の読取区間をできるだけ副走査方向で広くとることができ、基準読取速度ｖ１での読取区間に近づけることができる。そこで、図１０において実線矢印で示すように、減速中、点灯制御部１８２は固定点灯時間Ｔ１の中央の時点が減速中の１ラインあたりの読取時間の中間時点よりも前の時点となるように光源１５の点消灯を行う。
【０１１２】
固定点灯時間Ｔ１の中央の時点が減速中の１ラインあたりの読取時間の中間時点よりも前の時点となるように光源１５の点消灯を行えば、１ライン中、読取速度が基準読取速度ｖ１に近いうちに読取を行うことになるので、読取速度の減速中の読取区間（読取範囲、光源１５を点灯する区間、原稿Ｄに光を照射する範囲）を基準読取速度ｖ１での読取区間に近づけられるという効果を得ることができる。そして、最も効果を得るため、図１０の最後の光源１５点灯の波形に示すように、光源１５は減速中の１ラインあたりの読取時間の開始時点から点灯し、固定点灯時間Ｔ１だけ点灯した後、消灯するようにしてもよい。言い換えると、ラインの切り替わりと同時に光源１５を点灯させる。これにより、読取速度の減速中の読取区間を最も長くし（広くし）、基準読取速度ｖ１での読取区間に近づけることができる。尚、読取速度の減速中、全てのラインについて、１ラインあたりの読取時間の開始時点から点灯し、固定点灯時間Ｔ１だけ点灯した後、消灯するようにしてもよい。
【０１１３】
例えば、減速に関し、どのような減速度で減速を行うかを示すデータや、減速を行うときの各ラインの読取時間（水平同期信号の周期）の推移を示すデータを予め定めておく。そして、固定点灯時間Ｔ１の中央の時点が減速中の１ラインあたりの読取時間の中間時点よりも前の時点となるように、読取速度減速中の１ラインあたりの読取時間のうち、光源１５を点灯させる時点（水平同期信号の立ち上がりからの経過時間）を定めたデータを予め求めておく。これらのデータを画像読取装置１００内に設けられた不揮発性のメモリー１０ａに記憶させる（図４参照）。そして、読取制御部１０や点灯制御部１８２はメモリー１０ａに記憶されたデータに基づき、予め決められたパターン（ステップ、手順）で読取速度の減速と点灯を行う。これにより、読取速度を減速中しても、１ライン中、光が照射される副走査方向での範囲を広げることができる。
【０１１４】
このようにして、本実施形態の画像読取装置１００によれば、第１の実施形態で説明した効果と同様の効果を得ることができる。又、読取速度を加速するとき、１ラインの読取時間のうち、後半になるほど（後寄りになるほど）、読取速度は基準読取速度ｖ１に近づく。そこで、移動部（巻取モーター１６、巻取ドラム１６ｄ、ワイヤー１６ｗや原稿搬送部２等）により基準読取速度ｖ１まで読取速度を加速するとき、光源１５は固定点灯時間Ｔ１の中央の時点が加速中の１ラインあたりの読取時間の中間時点よりも後の時点となるように、１ラインの読取中、１回の点灯と消灯を行う。これにより、１ライン中、読取速度が速くなった時点で原稿Ｄに光が照射されるので、読取速度が基準の速度よりも遅いときでも、１ラインのうち、光が照射される範囲を広げることができる。言い換えると、読取速度の加速中での読取特性を基準の速度での読取特性に近づけることができる。従って、従来に比べ、基準読取速度ｖ１での読み取られた部分（画像データ）に対し、読取速度の加速中に読み取られた部分（画像データ）の変化、劣化を無くすことができ、読取速度を変化させることによる画質へのデメリットを解消して、高画質化を図ることができる。
【０１１５】
又、読取速度を減速するとき、１ラインの読取時間のうち、前半ほど（前寄りであるほど）、読取速度は基準読取速度ｖ１に近い。そこで、移動部（巻取モーター１６、巻取ドラム１６ｄ、ワイヤー１６ｗや原稿搬送部２）により基準読取速度ｖ１から読取速度を減速するとき、光源１５は固定点灯時間Ｔ１の中央の時点が減速中の１ラインあたりの読取時間の中間時点よりも前の時点となるように、１ラインの読取中、１回の点灯と消灯を行う。これにより、１ライン中、読取速度が基準読取速度ｖ１に近い時点で原稿Ｄに光が照射されるので、読取速度が基準の速度よりも遅いときでも、１ラインのうち、光が照射される範囲を広く確保することができる。言い換えると、読取速度の減速中での読取特性を基準の速度での読取特性に近づけることができる。従って、従来に比べ、基準読取速度ｖ１での読み取られた部分（画像データ）に対し、読取速度の減速中に読み取られた部分（画像データ）の変化、劣化を無くすことができ、読取速度を変化させることによる画質へのデメリットを解消して、高画質化を図ることができる。
【０１１６】
又、移動部（巻取モーター１６、巻取ドラム１６ｄ、ワイヤー１６ｗや原稿搬送部２等）により基準読取速度ｖ１となるまで読取速度を加速するとき、光源１５は加速中の１ラインあたりの読取時間の終了時点から固定点灯時間Ｔ１遡った時点で点灯し、終了時点に到ると消灯する。これにより、読取速度が基準の速度よりも遅いときでも、１ラインのうち、光が照射される範囲を最大限広げることができる。
【０１１７】
又、  移動部（巻取モーター１６、巻取ドラム１６ｄ、ワイヤー１６ｗや原稿搬送部２等）により基準読取速度ｖ１から読取速度を減速するとき、光源１５は減速中の１ラインあたりの読取時間の開始時点から点灯し、固定点灯時間Ｔ１だけ点灯した後、消灯する。これにより、読取速度が基準の速度よりも遅いときでも、１ラインのうち、光が照射される範囲を最大限広げることができる。
【産業上の利用可能性】
【０１１８】
本発明は、読取速度を変化させる画像読取装置や、この画像読取装置を備えた画像形成装置に利用可能である。
【符号の説明】
【０１１９】
１００  画像読取装置                    １      画像読取部
１４    イメージセンサー                １５    光源
１６    巻取モーター（移動部）          １６ｄ  巻取ドラム（移動部）
１６ｗ  ワイヤー（移動部）              ２      原稿搬送部（移動部）
２００  複合機（画像形成装置）          Ｄ      原稿（読取対象）
Ｔ１    固定点灯時間                    ｖ１    基準読取速度
【図１】
0005380563.tif 000002
【図２】
0005380563.tif 000003
【図３】
0005380563.tif 000004
【図４】
0005380563.tif 000005
【図５】
0005380563.tif 000006
【図６】
0005380563.tif 000007
【図７】
0005380563.tif 000008
【図８】
0005380563.tif 000009
【図９】
0005380563.tif 000010
【図１０】
0005380563.tif 000011